(57)【要約】【課題】バッテリー残量を知るためだけにシステムの再起動が必要である。また、システムが起動してバッテリー残量が確認できるようになるまで一定の時間が必要である。【解決手段】同一パネル上に、（ａ）主電源スイッチ経由でバッテリー電源に接続され、主電源スイッチが閉じた場合に、バッテリー電源から駆動電力の供給を受ける第１の発光領域と、（ｂ）バッテリー電源から駆動電力が常に直接供給され、バッテリー残量の推移に伴い発光態様が変化する第２の発光領域とを搭載する自発光表示パネルを配置する。【選択図】図３
2007327768.tif 000002
【特許請求の範囲】
【請求項１】
同一パネル上に、
主電源スイッチ経由でバッテリー電源に接続され、前記主電源スイッチが閉じた場合に、前記バッテリー電源から駆動電力の供給を受ける第１の発光領域と、
前記バッテリー電源から駆動電力が常に直接供給され、バッテリー残量の推移に伴い発光態様が変化する第２の発光領域と
を有することを特徴とする自発光表示パネル。
【請求項２】
請求項１に記載の自発光表示パネルにおいて、
前記第１及び第２の発光領域は、有機エレクトロルミネッセンス素子で構成する
ことを特徴とする自発光表示パネル。
【請求項３】
請求項１に記載の自発光表示パネルは、
前記バッテリー残量の低下に伴って、前記第２の発光領域に表示される指標の数が低減されるように表示態様を制御する表示態様制御部
を有することを特徴とする自発光表示パネル。
【請求項４】
請求項１に記載の自発光表示パネルは、
前記バッテリー残量の低下に伴って、前記第２の発光領域の発光色を可変制御する表示態様制御部
を有することを特徴とする自発光表示パネル。
【請求項５】
請求項１に記載の自発光表示パネルは、
前記第２の発光領域の発光を筐体表面に形成された窓部に導く導光部材
を有することを特徴とする自発光表示パネル。
【請求項６】
主電源スイッチと、
前記主電源スイッチ経由でバッテリー電源に接続され、前記主電源スイッチが閉じた場合に、前記バッテリー電源から駆動電力の供給を受ける第１の発光領域と、前記バッテリー電源から駆動電力が常に直接供給され、バッテリー残量の推移に伴い発光態様が変化する第２の発光領域とを同一パネル上に形成した自発光表示パネルと、
前記バッテリー残量の低下に伴って、前記第２の発光領域における発光態様を制御する発光態様制御部と
を有することを特徴とする自発光表示装置。
【請求項７】
請求項６に記載の自発光表示装置は、
前記第２の発光領域から出力された光束を、前記第２の発光領域と対面位置を除く領域部分に形成されるバッテリー残量確認用の窓まで伝搬する導光部材
を有することを特徴とする自発光表示装置。
【請求項８】
請求項６に記載の自発光表示装置は、
前記第２の発光領域の点灯と消灯を独自に切替制御できる操作スイッチ
を有することを特徴とする自発光表示装置。
【請求項９】
バッテリー電源の装着部と、
主電源スイッチと、
前記主電源スイッチ経由で前記バッテリー電源に接続され、前記主電源スイッチが閉じた場合に、前記バッテリー電源から駆動電力の供給を受ける第１の発光領域と、前記バッテリー電源から駆動電力が常に直接供給され、バッテリー残量の推移に伴い発光態様が変化する第２の発光領域とを同一パネル上に形成した自発光表示パネルと、
前記バッテリー残量の低下に伴って、前記第２の発光領域における発光態様を制御する発光態様制御部と
を有することを特徴とするバッテリー駆動機器。
【発明の詳細な説明】
【技術分野】
【０００１】
この明細書で説明する発明は、バッテリー残量を常に確認可能とする技術に関する。
なお、発明者らが提案する発明は、自発光表示パネル、自発光表示装置及びバッテリー駆動機器としての側面を有する。
【背景技術】
【０００２】
現在、多種多様のバッテリー駆動機器が用いられている。
これらバッテリー駆動機器には、必ずと言って良いほど残量表示機能が搭載されている。その理由は、バッテリー駆動機器が突然使えなくなるという状況を事前に回避するためである。
【０００３】
このため、バッテリー残量の表示機能に関する技術も数多く存在する。
例えば特許文献１では、バッテリー残量をキャラクタの動作速度、体型、仕草等を通じて表現する技術が提案されている。
【特許文献１】特開２００３−９４０４号公報
【発明の開示】
【発明が解決しようとする課題】
【０００４】
ところが、特許文献１も含め既存の技術の場合には、常駐プログラムを通じてバッテリー残量の状態を画面上に表示する仕組みが採用されている。
従って、システムが起動されていない限り、ユーザーは、バッテリー残量を直ぐに確認することはできない。
【０００５】
また、システムが起動していない状態でバッテリー残量を知りたい場合、ユーザーは、主電源スイッチを閉操作してシステムを再起動する必要がある。しかし、バッテリー残量の表示が可能になるまでの間、ユーザーは待たなければならなかった。
このように、既存の技術では、バッテリー残量を確認したくても直ぐにはバッテリー残量を確認できない問題がある。
【課題を解決するための手段】
【０００６】
そこで、発明者らは、主電源スイッチを閉操作しなくても、常にバッテリー残量を確認できる仕組みを提案する。
具体的には、同一パネル上に、（ａ）主電源スイッチ経由でバッテリー電源に接続され、主電源スイッチが閉じた場合に、バッテリー電源から駆動電力の供給を受ける第１の発光領域と、（ｂ）バッテリー電源から駆動電力が常に直接供給され、バッテリー残量の推移に伴い発光態様が変化する第２の発光領域とを搭載する自発光表示パネルを提案する。
【発明の効果】
【０００７】
発明者らの提案する自発光表示パネルを用いれば、主電源スイッチの操作状態にかかわらず、第２の発光領域を通じてバッテリー残量を確認することができる。
【発明を実施するための最良の形態】
【０００８】
以下、発明に係るバッテリー残量の表示技術について説明する。
なお、本明細書で特に図示又は記載されない部分には、当該技術分野の周知又は公知技術を適用する。
また以下に説明する形態例は、発明の一つの形態例であって、これらに限定されるものではない。
【０００９】
（Ａ）形態例
（Ａ−１）外観構成
図１に、バッテリー電源より駆動電力の供給を受けて動作する表示装置１の外観構成例を示す。図１は、筐体３の一つの面に情報表示部５とバッテリー残量表示部７を配置した表示装置１の外観構成例を示す。
【００１０】
情報表示部５は、主電源スイッチを経由してバッテリー電源から駆動電力の供給を受ける表示領域である。すなわち、情報表示部５は、主電源スイッチが閉じた場合にのみ、バッテリー電源から駆動電力が供給される表示領域である。
情報表示部５は、任意の画像や映像を表示可能な表示領域であり、各種のユーザーインターフェース情報が表示される。
【００１１】
バッテリー残量表示部７は、バッテリー電源から駆動電力が常に直接供給される表示領域である。すなわち、主電源スイッチが閉じている間だけでなく、主電源スイッチが開いている間も常にバッテリー残量に関する情報を表示可能な専用の表示領域である。
【００１２】
この例の場合、バッテリー残量表示部７は、図２に示すように、３つのインジケーターで構成される。ここで、３つのインジケーター全てが点灯していることは満充電を意味する。また、バッテリー残量の低下に伴ってインジゲーターは１つづつ消灯制御され、バッテリー残量が無くなった時点で３つ全てのインジケーターが消灯する。
【００１３】
（Ａ−２）パネル構成及び給電経路
図３に、表示パネル１１の平面構成と給電経路を示す。図３に示すように、情報表示部５とバッテリー残量表示部７は、同じ表示パネル１１上に形成されている。この例の場合、情報表示部５とバッテリー残量表示部７は、いずれも有機エレクトロルミネッセンス素子（以下、「有機ＥＬ素子」という。）を発光素子とする表示画素で構成される。
【００１４】
図３に示すように、バッテリー電源１３の駆動電力は、主電源スイッチ１５を経由して情報表示部５とシステム各部に供給される。すなわち、表示装置１に搭載されたシステム各部は、主電源スイッチ１５が閉操作されている場合にのみ使用可能な状態になる。また、システム各部が使用可能な状態になることで情報表示部５に画像や映像が表示可能な状態になる。
【００１５】
一方、バッテリー電源１３の駆動電力は、バッテリー残量表示部７に直接供給される。このように、バッテリー残量表示部７に対する駆動電力の供給は、主電源スイッチ１５の操作とは無関係である。
【００１６】
（Ａ−３）バッテリー残量表示に関連する回路構成
図４に、バッテリー残量表示部７によるバッテリー残量表示に関連する回路構成を示す。バッテリー電源１３の出力電圧は、電圧変換部２１と表示態様制御部２３（点灯制御部２３１）に与えられる。
【００１７】
電圧変換部２１は、バッテリー電源１３の出力電圧Ｖ０を有機ＥＬ素子７１の発光に必要な駆動電圧Ｖ１に変換する回路デバイスである。
現在、バッテリー電源１３にはリチウムイオン二次電池が一般に使用されることが多い。この種の二次電池は、１個の電池セル単体、２〜３個の電池セルを直列に接続した構成、又はこれらを並列接続した構成を採る。
【００１８】
従って、バッテリー電源１３の出力電圧Ｖ０は、３〜１２Ｖ程度であることがほとんどである。対して、有機ＥＬ素子の駆動電圧Ｖ１は、数Ｖ〜１０Ｖ程度であることが知られている。この電圧差を解消する目的で電圧変換部２１を設置する。
【００１９】
バッテリー電源１３の出力電圧Ｖ０は、図５に示すように、バッテリー残量に応じて変化する特性がある。電圧変化部２１は、このように変動する出力電圧Ｖ０から一定電圧の駆動電圧Ｖ１を得る目的で使用される。
【００２０】
なお、電圧変換部２１は、バッテリー電源１３の出力電圧Ｖ０が有機ＥＬ素子の駆動電圧Ｖ１より低い場合には昇圧タイプの回路を使用し、バッテリー電源１３の出力電圧Ｖ０が有機ＥＬ素子の駆動電圧Ｖ１より高い場合には降圧タイプの回路を使用する。
なお、電圧変換部２１は、スイッチングレギュレータ方式の回路でも良いし、シリーズレギュレータ方式の回路でも良い。
【００２１】
電圧変換部２１の出力電圧Ｖ０は、有機ＥＬ素子７１の駆動電圧Ｖ１として表示態様制御部２３に供給される。表示態様制御部２３は、バッテリー残量に応じてバッテリー残量表示部７を構成する３つのインジケーターを制御する回路デバイスである。
【００２２】
すなわち、バッテリー残量を４段階で表示する。この表示制御のため、表示態様制御部２３は、３つの点灯制御部２３１で構成する。
【００２３】
各点灯制御部２３１は、バッテリー残量表示部７を構成する３つのインジケーターに対応し、各インジケーターに位置する有機ＥＬ素子７１に駆動電源Ｖ１又は接地電位（ＧＮＤ）を選択的に供給する。
【００２４】
すなわち、有機ＥＬ素子７１の点灯と消灯を切替制御する。
図６に、点灯制御部２３１の内部構成例を示す。点灯制御部２３１は、比較器３１として動作するオペアンプと、基準電圧発生器３３として動作する分圧回路で構成される。
【００２５】
基準電圧発生器３３は、駆動電圧Ｖ１を抵抗Ｒ１とＲ２で分圧して個々の点灯制御部２３１に固有の基準電圧を発生する回路である。なお、駆動電圧Ｖ１は、バッテリー電源１３の出力電圧Ｖ０の変動にもかかわらず一定電圧として与えられるので基準電圧発生器３３で発生される基準電圧も常に一定値となる。適切な基準電圧の設定により、図２に示したように、インジケーター毎の消灯タイミングをずらすことができる。
【００２６】
比較器３１は、この基準電圧と出力電圧Ｖ０とを比較し、その大小関係に応じて出力電圧を切替制御する動作を実行する。例えば出力電圧Ｖ０が基準電圧より大きい場合、比較器３１は駆動電圧Ｖ１を出力し、出力電圧Ｖ０が基準電圧より小さい場合、比較器３１は接地電位（ＧＮＤ）を出力する。
【００２７】
勿論、駆動電圧Ｖ１が出力される場合に有機ＥＬ素子７１は点灯し、接地電位（ＧＮＤ）が出力される場合に有機ＥＬ素子７１は消灯する。
【００２８】
（Ａ−４）形態例の効果
以上のように、情報表示部５とは別に用意したバッテリー残量表示部７に主電源スイッチとは別系統で電力を供給する仕組みを採用することにより、表示装置１のシステムが起動していない場合（主電源スイッチが開いている場合）にも、バッテリー残量に応じた表示態様でバッテリー残量表示部７を点灯制御できる。
【００２９】
このため、ユーザーは、バッテリー残量の確認のために主電源スイッチを閉操作する必要から解放される。また、システムの起動を待って情報表示部５に表示されるバッテリー残量を確認する場合のような待ち時間を無くすことができる。
【００３０】
なお、発光画素が有機ＥＬ素子の場合、１つの画素に流れる電流はナノアンペア（ｎＡ）オーダーである。このため、残量表示のためにバッテリー残量表示部７を常時点灯しても、表示装置本来の使用時間に影響を与えることはほとんど考えられない。
【００３１】
（Ｂ）他の形態例
（Ｂ−１）バッテリー残量の表示精度の向上
前述の形態例における説明では、バッテリー電源１３の出力電圧Ｖ０を表示態様制御部２３に直接与える場合について説明した。
すなわち、点灯制御部２３１において、バッテリー電源１３の出力電圧Ｖ０を基準電圧と直接比較する場合について説明した。
【００３２】
しかし、図５に示すように、バッテリー電源１３の出力電圧Ｖ０は、バッテリー残量の低下に伴って緩やかに低下するが、ある程度までバッテリー残量が低下すると急激に低下する特性があることが知られている。
【００３３】
このため、前述した回路構成（図４）のように、バッテリー電源１３の出力電圧Ｖ０を比較器３１に直接入力する方法は、バッテリー残量が誤検出され易い可能性がある。
【００３４】
そこで、図７に示す回路構成を提案する。すなわち、バッテリー残量をより高い精度で検出するための残量計算部４１と、計算により検出されたバッテリー残量をアナログ電圧に変換する残量情報アナログ変換部４３とを配置し、バッテリー残量に比例して変化する電圧値を点灯制御部２３１の比較部３１に与える方式を採用する。
【００３５】
このように、出力電圧Ｖ０ではなく、バッテリー残量を正確に反映した電圧値を比較部３１に与えることにより、比較部３１における判定精度を高めることができる。
なお、残量計算部４１は、周知の処理回路が多数あるので説明を省略する。また、残量情報アナログ変換部４３は、例えばディジタル／アナログ変換回路を使用する。
【００３６】
（Ｂ−２）バッテリー残量表示の一時停止
前述の形態例の説明においては、常にバッテリー残量表示部７を点灯制御する場合について説明した。前述の通り、バッテリー残量表示部７で消費される電流はごくわずかである。
しかし、ユーザーによっては、バッテリー残量表示部７を意図的に消灯できる仕組みを望む可能性がある。
【００３７】
図８に、バッテリー残量表示部７の点灯と消灯を切替制御できる操作スイッチ５１を搭載する回路構成の一例を示す。
図８の場合、操作スイッチ５１は、バッテリー残量表示部７に専用の電力給電線上に配置する。
【００３８】
この操作スイッチ５１による駆動電圧の供給は、電圧変換部２１、表示態様制御部２３及びバッテリー残量表示部７だけに影響する。従って、操作スイッチ５１を操作しても、システム側には影響しない。よって、主電源スイッチとは独立に、バッテリー残量表示部７のバッテリー残量表示と不表示を切り替えることができる。
【００３９】
（Ｂ−３）判定精度の安定化
前述の形態例の場合、図６に示す回路構成の点灯制御部２３１を用いる場合について説明した。
しかし、この回路構成では、わずかなノイズの影響でバッテリー残量が誤判定される可能性がある。
【００４０】
従って、より安定した判定精度が要求される場合には、図９に示す正帰還型の比較回路構成を採用する。
すなわち、正入力端子と出力端子の間に正帰還用の抵抗Ｒ５を接続した回路構成を採用する。
【００４１】
この場合、基準電圧をＶＥとすると、次式で与えるヒステリシス電圧ＶＨ（ノイズに対する判定マージン）を持たせることができる。
ＶＨ＝（Ｖ１−ＶＥ）×Ｒ４／（Ｒ４＋Ｒ５）
ＶＥ＝Ｖ０×Ｒ１／（Ｒ１＋Ｒ２）
【００４２】
（Ｂ−４）表示パネル
前述した形態例の場合、図３に示すように表示パネル１１上に情報表示部５とバッテリー残量表示部７を空間的に分離して配置する場合について説明した。この構成例の場合、情報表示部５のパネル構成や駆動回路は既存の回路構成をそのまま使用することができる。
【００４３】
しかし、表示パネル１１の構造は、図３に示す発光領域の配置に限らない。例えば図１０に示すように、バッテリー残量表示部７を情報表示部５と一体に形成することもできる。この場合、情報表示部５の表示領域のうちバッテリー残量表示部７と重複する部分には画像や映像を表示することができなくなる。しかし、用途によっては、図１０に示すように情報表示領域５の画面内にバッテリー残量表示部７を配置することもできる。
【００４４】
（Ｂ−５）バッテリー残量表示部の配置位置
前述の形態例の場合、ユーザーから観察されるバッテリー残量表示部７と情報表示部５を同一面上に配置する場合について説明した。すなわち、表示パネル１１の発光面に対面する位置の筐体３に窓を設け、当該窓から発光領域がそのまま確認できる構成について説明した。
【００４５】
しかし、図１１に示すように、情報表示部５と異なる筐体面にバッテリー残量表示部７を配置することもできる。因みに、図１１は、情報表示部５の設置面を正面とする場合に、側面位置にバッテリー残量表示部７を配置する例である。このような配置は、図１２に示すように、バッテリー残量の表示領域から出力された光をバッテリー残量表示部７まで導く導光部材６１を設置することで可能となる。
【００４６】
導光部材６１には、例えば光ファイバを使用する。導光部材６１を用いることにより、任意の位置にバッテリ残量に応じて出力された光のパターンを導くことができる。
このようにバッテリー残量表示部７の設置位置の自由度が高まることで、表示装置のデザインを向上することができる。
また、ユーザーの確認が容易な位置にバッテリー残量表示部７を設置する等、機器に応じて適切な位置に設置することが可能になる。
【００４７】
（Ｂ−６）バッテリー残量の表示
前述の形態例の場合には、図２に示すように、矩形形状のインジケーターを一列に配列し、点灯するインジケーターの長さ（個数）によりバッテリー残量を表示する場合について説明した。
【００４８】
しかし、バッテリー残量の表示方法は、これに限らない。例えば図１３に示すように、インジケーターの形状を丸形としても良い。また例えば図１４に示すように、電池形状の外枠と３つのインジケーターとを組み合わせた表示方法を採用しても良い。また例えば図１５に示すように、発光色をバッテリー残量に応じて可変しても良い。
【００４９】
図１５の場合、満充電の状態（１番目に充電量が多い状態）を「白」色で表し、次に充電量が多い状態（２番目に充電量が多い状態）を「紫」色で表し、その次に充電量が多い状態（３番目に充電量が多い状態）を「赤」色で表している。
この表示例は、バッテリー残量表示部７の発光領域を情報表示部５と同じカラー画素構造とすることにより実現できる。
【００５０】
すなわち、バッテリー残量表示部７を構成する発光領域の各画素を「赤」、「緑」、「青」の３原色に対応する発光面で形成し、点灯する発光面の組み合わせを可変することにより発光色を制御する。
勿論、発光輝度も制御すれば任意の発光色を得ることができる。図１５の場合は、全ての発光面を点灯することにより「白」色の発色を実現する。
【００５１】
また、「赤」色と「青」色に対応する発光面のみを点灯し、「緑」色に対応する発光面を消灯することにより「紫」色の発色を実現する。また、「赤」色に対応する発光面のみを点灯し、「緑」色と「青」色に対応する発光面を消灯することにより「赤」色の発色を実現する。
【００５２】
勿論、この他の表示形態も可能である。例えばバッテリー残量をより多くの段階で表示したり、より少ない段階で表示したりすることも可能である。また、以上の表示形態を組み合わせることも可能である。
【００５３】
（Ｂ−７）バッテリー駆動機器
前述の形態例では、バッテリー駆動機器の一例として表示装置を例示して説明した。しかし、前述したバッテリー残量の表示機能は、各種のバッテリー駆動機器に搭載することができる。
【００５４】
（ａ）放送波受信装置
図１６は、前述した構造の表示パネル１１を携帯型の放送波受信装置に適用する場合の機能構成例である。放送波受信装置１０１は、表示パネル１１、バッテリー電源１３、システム制御部１０３、操作部１０５、記憶媒体１０７及びチューナー１０９を主要な構成デバイスとする。
【００５５】
なお、システム制御部１０３は、例えばマイクロプロセッサで構成される。システム制御部１０３は、システム全体の動作を制御する。操作部１０５は、主電源スイッチも含むユーザーインターフェースである。機械式の操作子の他、グラフィックユーザーインターフェースも含む。
【００５６】
記憶媒体１０７は、表示パネル１１に表示する画像や映像に対応するデータの他、ファームウェアやアプリケーションプログラムの格納領域として用いられる。チューナー１０９は、到来する放送波の中からユーザーの選局した特定チャネルの放送波を選択的に受信する無線装置である。
この放送波受信装置の構成は、例えばテレビジョン番組受信機、ラジオ番組受信機に適用する場合に用いることができる。
【００５７】
（ｂ）オーディオ装置
図１７は、前述した構造の表示パネル１１を再生機としてのオーディオ装置に適用する場合の機能構成例である。
再生機としてのオーディオ装置２０１は、表示パネル１１、バッテリー電源１３、システム制御部２０３、操作部２０５、記憶媒体２０７、オーディオ処理部２０９及びスピーカー２１１を主要な構成デバイスとする。
【００５８】
この場合も、システム制御部２０３は、例えばマイクロプロセッサで構成される。システム制御部２０３は、システム全体の動作を制御する。操作部２０５は、主電源スイッチも含むユーザーインターフェースである。機械式の操作子の他、グラフィックユーザーインターフェースも含む。
【００５９】
記憶媒体２０７は、オーディオデータの他、ファームウェアやアプリケーションプログラムの格納領域である。オーディオ処理部２０９は、オーディオデータを信号処理する処理デバイスである。圧縮符号化されたオーディオデータの解凍処理も実行される。スピーカー２１１は、再生された音を出力するデバイスである。
【００６０】
なお、オーディオ装置２０１を記録機として用いる場合、スピーカー２１１に替えてマイクロフォンを接続する。この場合、オーディオ処理部２０９は、オーディオデータを圧縮符号化する機能を実現する。
【００６１】
（ｃ）通信装置
図１８は、前述した構造の表示パネル１１を携帯型の通信装置に適用する場合の機能構成例である。通信装置３０１は、表示パネル１１、バッテリー電源１３、システム制御部３０３、操作部３０５、記憶媒体３０７及び無線通信部３０９を主要な構成デバイスとする。
【００６２】
なお、システム制御部３０３は、例えばマイクロプロセッサで構成される。システム制御部３０３は、システム全体の動作を制御する。操作部３０５は、主電源スイッチも含むユーザーインターフェースである。機械式の操作子の他、グラフィックユーザーインターフェースも含む。
【００６３】
記憶媒体１０３は、表示パネル１１に表示する画像や映像に対応するデータファイルの他、ファームウェアやアプリケーションプログラムの格納領域として用いられる。無線通信部３０９は、他機との間でデータを送受信する無線装置である。
この通信装置の構成は、例えば携帯電話機に適用する場合に用いることができる。
【００６４】
（ｄ）撮像装置
図１９は、前述した構造の表示パネル１１を携帯型の撮像装置に適用する場合の機能構成例である。撮像装置４０１は、表示パネル１１、バッテリー電源１３、システム制御部４０３、操作部４０５、記憶媒体４０７及び撮像部４０９を主要な構成デバイスとする。
【００６５】
なお、システム制御部４０３は、例えばマイクロプロセッサで構成される。システム制御部４０３は、システム全体の動作を制御する。操作部４０５は、主電源スイッチも含むユーザーインターフェースである。機械式の操作子の他、グラフィックユーザーインターフェースも含む。
【００６６】
記憶媒体４０３は、表示パネル１１に表示する画像や映像に対応するデータファイルの他、ファームウェアやアプリケーションプログラムの格納領域として用いられる。撮像部４０９は、例えばＣＭＯＳセンサーとその出力信号を処理する信号処理部で構成する。
この撮像装置の構成は、例えばデジタルカメラ、ビデオカメラ等に適用する場合に用いることができる。
【００６７】
（ｅ）情報処理装置
図２０は、前述した構造の表示パネル１１を携帯型の情報処理装置に適用する場合の機能構成例である。情報処理装置５０１は、表示パネル１１、バッテリー電源１３、システム制御部５０３、操作部５０５及び記憶媒体５０７を主要な構成デバイスとする。
【００６８】
なお、システム制御部５０３は、例えばマイクロプロセッサで構成される。システム制御部５０３は、システム全体の動作を制御する。操作部５０５は、主電源スイッチも含むユーザーインターフェースである。機械式の操作子の他、グラフィックユーザーインターフェースも含む。
【００６９】
記憶媒体５０３は、表示パネル１１に表示する画像や映像に対応するデータファイルの他、ファームウェアやアプリケーションプログラムの格納領域として用いられる。
この情報処理装置の構成は、例えばゲーム機、電子ブック、電子辞書、コンピュータ等に適用する場合に用いることができる。
【００７０】
（Ｂ−８）自発光素子
前述の形態例の場合、情報表示部５及びバッテリー残量表示部７を構成する自発光素子が有機ＥＬ素子であるものとして説明した。
しかし、電流駆動方式の自発光素子であれば、例えば無機ＥＬ素子等にも適用できる。
【００７１】
（Ｂ−９）その他
前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００７２】
【図１】外観構成例を示す図である。
【図２】バッテリー残量表示部の表示例を示す図である。
【図３】表示パネルのパネル構成と給電経路を説明する図である。
【図４】バッテリー残量表示に関連する回路構成例を示す図である。
【図５】バッテリー電源の出力電圧特性を示す図である。
【図６】点灯制御部の内部構成例を示す図である。
【図７】他のパネル構成例を示す図である。
【図８】他のパネル構成例を示す図である。
【図９】点灯制御部の他の内部構成例を示す図である。
【図１０】表示パネルの他の構成例を示す図である。
【図１１】他の外観構成例を示す図である。
【図１２】導光部材の配置例を説明する図である。
【図１３】バッテリー残量表示部の他の表示例を示す図である。
【図１４】バッテリー残量表示部の他の表示例を示す図である。
【図１５】バッテリー残量表示部の他の表示例を示す図である。
【図１６】バッテリー駆動機器の機能構成例を示す図である。
【図１７】バッテリー駆動機器の機能構成例を示す図である。
【図１８】バッテリー駆動機器の機能構成例を示す図である。
【図１９】バッテリー駆動機器の機能構成例を示す図である。
【図２０】バッテリー駆動機器の機能構成例を示す図である。
【符号の説明】
【００７３】
５        情報表示部
７        バッテリー残量表示部
１１      表示パネル
２１      電圧変換部
２３      表示態様制御部
２３１    点灯制御部
４１      残量算出部
４３      残量情報アナログ変換部
５１      操作スイッチ
６１      導光部材
【図１】
2007327768.tif 000003
【図２】
2007327768.tif 000004
【図３】
2007327768.tif 000005
【図４】
2007327768.tif 000006
【図５】
2007327768.tif 000007
【図６】
2007327768.tif 000008
【図７】
2007327768.tif 000009
【図８】
2007327768.tif 000010
【図９】
2007327768.tif 000011
【図１０】
2007327768.tif 000012
【図１１】
2007327768.tif 000013
【図１２】
2007327768.tif 000014
【図１３】
2007327768.tif 000015
【図１４】
2007327768.tif 000016
【図１５】
2007327768.tif 000017
【図１６】
2007327768.tif 000018
【図１７】
2007327768.tif 000019
【図１８】
2007327768.tif 000020
【図１９】
2007327768.tif 000021
【図２０】
2007327768.tif 000022